(57)【要約】  読取面に異なる２方向から光源からの光を照射する際に、正反射光を読取面から反射ミラーに案内することが可能であり、光沢画像の読取に適した装置を提供する。読取面に光を角度の異なる２方向から照射する光源を第１発光体と第２発光体で構成し、読取面からの光を所定の読取光路に偏向する反射部材の表面に、光を鏡面反射するミラー反射面と光を透過する透光面が形成し、第１発光体は前記プラテンと前記反射部材のプラテン側の面との間に配置され、前記第２発光体は前記透光面を透過して前記読取面に光を照射するように前記反射部材の背面に配置する。
2011108645.tif 000002
【特許請求の範囲】
【請求項１】
正反射光と乱反射光を用いて原稿を読取る画像読取装置において、
読取面を有するプラテンと、
前記読取面に光を照射する光源と、
前記読取面からの反射光を所定の光路方向に反射する反射ミラーと、
前記反射ミラーからの光を集光する集光レンズと、
前記集光レンズからの光を光電変換するセンサと、
を備え、
前記光源は、主として乱反射光を原稿に照射する第１発光体と、
主として正反射光を原稿に照射する第２発光体とで構成され、
前記反射ミラーは、前記読取面からの光を所定の読取光路方向に反射する複数の反射部材で構成され、
この反射部材の１つは前記プラテンに対して所定角度傾斜して配置されるとともに、平板形状の透光性基板で構成され、
前記反射部材の表面の一部には光を鏡面反射するミラー反射面と光を透過する透光面が形成され、
前記第１発光体は、前記プラテンと前記反射部材のミラー反射面側との間に配置され、
前記第２発光体は、前記反射部材の透光面を透過して前記読取面に光を照射するように前記反射部材のミラー反射面の背面側に配置されていることを特徴とする画像読取装置。
【請求項２】
前記第２発光体から読取面に照射する光の中心の照射角度は、前記第１発光体から前記読取面に照射する光の中心の照射角度より小さく設定され、
前記第２発光体は、読取面に照射する光の中心が前記反射部材の端面と前記ミラー反射面との間の透光面を通過するように配置されていることを特徴とする請求項１に記載の画像読取装置。
【請求項３】
前記第１発光体の光量は、前記第２発光体の光量よりも大きくなるよう構成したことを特徴とする請求項１に記載の画像読取装置。
【請求項４】
前記第１第２の発光体は、発光ダイオードと、この発光ダイオードからの光を線状光に偏向する導光体とから構成されることを特徴とする請求項１に記載の画像読取装置。
【請求項５】
前記反射ミラーを構成する複数の反射部材のうち前記読取面からの反射光を最初に反射する第１反射部材に前記ミラー反射面と透光面が形成され、
この第１反射部材の背面に前記第２発光体が配置されていることを特徴とする請求項１に記載の画像読取装置。
【請求項６】
正反射光と乱反射光を用いて原稿を読取る画像読取装置において、
読取面を有するプラテンと、
前記読取面に光を照射する光源と、
前記読取面からの反射光を所定の光路方向に反射する反射ミラーと、
前記反射ミラーからの光を集光する集光レンズと、
前記集光レンズからの光を光電変換するセンサと、
を備え、
前記光源は、主として乱反射光を原稿に照射する第１発光体と、
主として正反射光を原稿に照射する第２発光体とで構成され、
前記反射ミラーは、前記読取面からの光を所定の読取光路方向に反射する複数の反射部材で構成され、
前記反射ミラーは、
前記読取面からの反射光を最初に反射する第１反射部材と、
この第１反射部材からの光を所定の読取光路方向に反射する第２反射部材と、
を備え、
この反射部材の１つは前記プラテンに対して所定角度傾斜して配置されるとともに、平板形状の透光性基板で構成され、
前記反射部材の表面の一部には光を鏡面反射するミラー反射面と光を透過する透光面が形成され、
前記ミラー反射面と透光面は、前記第２反射部材に形成され、
前記第１発光体は、前記プラテンと前記第１反射部材との間に配置され、
前記第２発光体は、前記第２反射部材の透光面を透過して前記読取面に光を照射するように前記反射部材の背面側に配置されていることを特徴とする画像読取装置。
【請求項７】
前記ミラー反射面と透光面を有する反射部材は、
前記読取面に近い位置に透光面が、読取面から遠い位置にミラー反射面が形成されていることを特徴とする請求項１に記載の画像読取装置。
【請求項８】
前記反射部材の透光面に隣接する端面は、前記読取面に略々平行となるように面取りされていることを特徴とする請求項７に記載の画像読取装置。
【請求項９】
前記反射部材の背面には、表面側に形成されたミラー反射面に対向する位置に光を反射する反射面が設けられ、
この反射面は、前記第２発光体から照射され前記ミラー反射面で反射された光を前記読取面に向けて反射するように形成されていることを特徴とする請求項７に記載の画像読取装置。
【請求項１０】
正反射光と乱反射光を用いて原稿を読取る画像読取装置において、
読取面を有するプラテンと、
前記読取面に光を照射する光源と、
前記読取面からの反射光を所定の光路方向に反射する反射ミラーと、
前記反射ミラーからの光を集光する集光レンズと、
前記集光レンズからの光を光電変換するセンサと、
を備え、
前記光源は、主として乱反射光を原稿に照射する第１発光体と、
主として正反射光を原稿に照射する第２発光体とで構成され、
前記反射ミラーは、前記読取面からの光を所定の読取光路方向に反射する複数の反射部材で構成され、
この反射部材の１つは前記プラテンに対して所定角度傾斜して配置されるとともに、平板形状の透光性基板で構成され、
前記反射部材の表面の一部には光を鏡面反射するミラー反射面と光を透過する透光面が形成され、
前記第１発光体は、前記プラテンと前記反射部材のミラー反射面側との間に配置され、
前記第２発光体は、前記反射部材の透光面を透過して前記読取面に光を照射するように前記反射部材のミラー反射面の背面側に配置され、
前記ミラー反射面と透光面を有する反射部材は、
前記ミラー反射面は反射部材の略々中央部に、前記透光面は反射部材の略々
両端部に形成され、
前記第２発光体はこの両端部に形成された透光面から前記読取面に光を照射するように配置されていることを特徴とする画像読取装置。
【請求項１１】
前記反射部材の背面には、前記第２発光体の光を所定方向に反射するリフレクターが配置され、
このリフレクターは第２発光体からの光を前記読取面に向けて集光する偏光特性を有することを特徴とする請求項１に記載の画像読取装置。
【請求項１２】
正反射光と乱反射光を用いて原稿を読取る画像読取装置において、
読取面を有するプラテンと、
前記読取面に光を照射する光源と、
前記読取面からの反射光を所定の光路方向に反射する反射ミラーと、
前記反射ミラーからの光を集光する集光レンズと、
前記集光レンズからの光を光電変換するセンサと、
を備え、
前記光源は、主として乱反射光を原稿に照射する第１発光体と、
主として正反射光を原稿に照射する第２発光体とで構成され、
前記反射ミラーは、前記読取面からの光を所定の読取光路方向に反射する複数の反射部材で構成され、
この反射部材の１つは前記プラテンに対して所定角度傾斜して配置されるとともに、平板形状の透光性基板で構成され、
前記反射部材の表面の一部には光を鏡面反射するミラー反射面と光を透過する透光面が形成され、
前記第１発光体は、前記プラテンと前記反射部材のミラー反射面側との間に配置され、
前記第２発光体は、前記反射部材の透光面を透過して前記読取面に光を照射するように前記反射部材の背面側に配置され、
前記反射部材のミラー反射面の背面側には、前記第２発光体の光を所定方向に反射するリフレクターが配置され、
前記リフレクターは、前記ミラー反射面の両側に形成された前記透光面の一方から前記読取面に光を照射する第１リフレクト面と、
前記透光面の他方から前記読取面に光を照射する第２リフレクト面と、
を有していることを特徴とする画像読取装置。
【請求項１３】
前記リフレクターは、第２発光体からの光を、
前記第１リフレクト面から前記反射部材の一方の透光面に、
前記第２リフレクト面から前記反射部材の他方の透光面に、
それぞれ分岐して投射するように構成されていることを特徴とする請求項１２に記載の画像読取装置。
【請求項１４】
前記第１リフレクト面と第２リフレクト面とは、それぞれが前記透光面に投射する光量が略々等分となるように前記第２発光体からの光を分岐することを特徴とする請求項１２に記載の画像読取装置。
【請求項１５】
前記第１リフレクト面と第２リフレクト面とは、前記反射部材に対して中央部のミラー反射面に投射する光量が少なく、両端部の透光面に投射する光量が多くなるように第２発光体からの光を分岐することを特徴とする請求項１２に記載の画像読取装置。
【請求項１６】
前記第１リフレクト面と第２リフレクト面とは、前記第２発光体からの光を集光して前記透光面に投射する曲面形状に形成されていることを特徴とする請求項１２に記載の画像読取装置。
【請求項１７】
前記第１リフレクト面と第２リフレクト面とは、中心点が異なる面を形成することを特徴とする請求項１２に記載の画像読取装置。
【請求項１８】
前記反射部材のミラー反射面は、
前記第２発光体からの光を全反射して遮るように形成されていることを特徴とする請求項１に記載の画像読取装置。
【請求項１９】
前記第２発光体はそれぞれ線状光を発光する第１第２の発光部で構成され、
この第１の発光部は前記第１リフレクト面に光を投射し、第２の発光部は前記第２リフレクト面に光を投射するように配置されていることを特徴とする請求項１２に記載の画像読取装置。
【発明の詳細な説明】
【技術分野】
【０００１】
本発明は、スキャナ装置、複写機、ファクシミリ等に搭載される画像読取装置に関し、特に、原稿画像に応じて読取の照射方法を変更する光源機構の改良に関する。
【背景技術】
【０００２】
一般に、スキャナ装置、複写機などの画像読取装置は、プラテンとこのプラテンの読取面に読取光を照射する光源と、読取面からの反射光を所定方向に反射する反射ミラーと、このミラーからの光を結像する集光レンズと、このレンズからの光を光電変換する光電変換センサで構成されている。【０００３】
例えば日本国特開２００５−２３４２９７号公報（特許文献１）には縮小光学系の読取機構を備えた画像読取装置が開示されている。この文献１にはプラテンに沿って往復動するキャリッジに、光源ランプと、読取面からの反射光を所定方向に反射する複数のミラーと、このミラーからの光を集光レンズを介して光電変換する光電変換センサを備えた画像読取装置が開示されている。【０００４】
このような画像読取装置では、光源ランプから読取面に光を所定角度方向から照射し、読取面からの拡散光を反射ミラーで読取り光路方向に反射している。つまり読取面の原稿画像は完全平面ではなく微細な凹凸面（例えば紙面粗さ）であるため所定幅の線状光を照射し、ミラー鏡面に向かう光（拡散光）で画像読取りしている。この場合、画像表面が平滑な光沢面に画像形成（例えば金箔文字など）されていると光源ランプからの光は正反射方向に向かって反射ミラーに入射されない現象が起きる。このため光沢画像が黒く読取られることが知られている。【０００５】
そこで光沢原稿を読取るときには、読取面に対して所定の角度方向から光を照射する拡散光源と、読取面の直下から光を照射する正反射光源とを設け、光沢画像が含まれている原稿は、拡散光源から光を照射した読取りデータと正反射光源から光を照射した読取りデータとを合成して読取りデータを取得することが例えば日本国特許第４０８３０４２号公報（特許文献２）に提案されている。【０００６】
この文献２には読取面から反射ミラーに向かう読取光に対して所定角度（θ１）傾斜した方向から第１光源の光を照射し、同様に角度θ２傾斜した方向から第２光源の光を照射するという、２方向に光源を配置する機構が提案されている。そして角度θ１＞θ２に設定して第１光源からの拡散光の反射光を反射ミラーに案内し、第２光源からの正反射光を反射ミラーに案内している。このため第２光源は反射ミラーに入射する光路に配置することが最適となる。【０００７】
ところが第２光源を反射ミラーに入射する光路に配置（θ２＝０度）することは物理的に不可能であるため文献２の装置は第２光源を読取面から反射ミラーに入射する光路を遮らない程度に光路に近接した位置に配置している。このような配置構造で第２光源から読取面に照射する入射角度（θ２）を０度に近づけるためには光源から読取面に至る光路長を長く確保しなければならない。このため装置が大型化する問題が知られている。【０００８】
また日本国特開２０００−１２３１５２号公報（特許文献３）には反射ミラーをハーフミラーで構成し、読取面の直下に配置した反射ミラーの背面に第２光源を配置することが提案されている。【０００９】
なお、日本国特開平１１−３１７８５４号公報（特許文献４）には、光源として蛍光灯を利用した画像読取装置において、蛍光灯を構成するガラス管の開口部上に平板ガラスを配置し、この平板ガラスの外側表面の一部に反射膜を設け、平板ガラスの反射膜が設けられていない部分から光束を出射させて原稿を照明し、平板ガラスの反射膜が設けられた部分で原稿面からの光束を反射させて画像読取手段へと導光することが開示されている。この文献４では、輝度が低く発光面積が大きい蛍光灯の照明効率を高め装置のコンパクト化を図ることを課題としており、画像の読取面に異なる２方向から光を照射する装置についての記載はなされていない。
【先行技術文献】
【特許文献】
【００１０】
【特許文献１】日本国特開２００５−２３４２９７号公報
【特許文献２】日本国特許第４０８３０４２号公報
【特許文献３】日本国特開２０００−１２３１５２号公報
【特許文献４】日本国特開平１１−３１７８５４号公報
【発明の概要】
【発明が解決しようとする課題】
【００１１】
上述のように画像の読取面に線状光を照射する際に、角度の異なる２方向から光を照射し、第１の光源からの拡散光の画像反射光を反射ミラーに入光し、第２の光源からの正反射光を反射ミラーに入光することが光沢画像読取では求められる。これに対して前掲文献２に提案されている方法は、図２１（ａ）に示すように第２光源１００を反射ミラー１０１に入射する光路に近接した位置に配置し、読取面に照射する入射角度（θ２）を０度に近づけている。このような配置構造では光源１００から読取面１０２に至る光路長Ｌを長くしなければ入射角度（θ２）を０度に近づけることが出来ない。そしてこの角度θ２の誤差が大きいと読取りエラーを招く。【００１２】
このように反射ミラーに近接した位置に第２光源を配置する場合に、反射ミラーを極小化することが考えられる。しかしこの反射ミラーの極小化は読取ラインに沿って所定長さのミラー基板を狭い幅で形成することとなり、このミラー基板の捩れ変形が問題となる。つまり狭小幅で細長いミラーをキャリッジに搭載支持すると衝撃、熱などで歪曲変形し、読取光路に位置ズレなどの問題を引き起こす。これと共に極小化した反射ミラーはその端面が読取光路に接近することとなり、この端面による光のケラレ或いは他の反射ミラーの光と干渉する問題が生ずる。【００１３】
また前掲文献３には反射ミラーをハーフミラー１０３で構成することが提案されている。この方法は図２１（ｂ）に示すように読取面１０４に所定角度（θ１）傾斜した方向に拡散光源１０５ａ、１０５ｂを配置し、ハーフミラー１０３から読取り光路方向に光を案内する一方で、ハーフミラー１０３に第２光源１０６から光を照射して読取面１０４に角度（θ１＝９０度）から光を照射する構造が提案されている。この場合、反射ミラーをハーフミラーで構成することは、例えば透光率５０％のときには、第１光源及び第２光源の光量（発光量）を２倍にしなければ所定の光量を光電変換センサに案内することが出来ない。従って消費電力が大きく、発光部の発熱対策にも問題をもたらす。【００１４】
そこで本発明者は、反射ミラーに近接した位置に第２光源を配置するために反射ミラーを極小化（小型化）することを試みた。しかしこの反射ミラーの極小化は多くの問題に遭遇することに至った。反射ミラーの極小化は、読取ラインに沿って所定長さのミラー基板を狭い幅で形成することとなり、このミラー基板の捩れ変形が問題となる。つまり狭小幅で細長いミラーをキャリッジに搭載支持すると衝撃、熱などで歪曲変形し、読取光路に位置ズレなどの問題を引き起こす。これと共に極小化した反射ミラーの端面は読取光路に接近することとなり、この端面による光のケラレ或いは他の反射ミラーの光と干渉する問題が生ずる。このことは平板形状の反射ミラーを極小化すると読取光路内にミラー端面が進入することとなり、この端面の光透過が不安定となることに起因する。【００１５】
本発明は、読取面に異なる２方向から光を照射する際に、その一方の光を読取面から正反射光を反射ミラーに案内することが可能であり、この光源からの光と反射ミラーとが物理的に干渉する恐れの少なく、かつ小型である画像読取装置の提供を第１の課題としている。【００１６】
また、本発明は、反射ミラーが歪曲変形することがなく、その構造も簡単である画像読取装置の提供を第２の課題としている。【００１７】
更に本発明は、原稿画像面の凹凸、歪曲によって部分的に照射光量が低下することのない画像読取装置の提供を第３の課題としている。
【課題を解決するための手段】
【００１８】
上記課題を達成するため本発明は、読取面に線状光を角度の異なる２方向から照射する光源を第１発光体と第２発光体で構成し、読取面からの光を所定の読取光路方向に反射する平板形状の反射部材の表面に、光を鏡面反射するミラー反射面と光を透過する透光面を形成する。そして、第１発光体を、プラテンと反射部材の表面との間に配置し、第２発光体を反射部材のミラー反射面を透過して読取面に光を照射するように反射部材の背面に配置することを特徴としている。【００１９】
更にその構成を詳述すると、読取面（Ｒ）を有するプラテン（２、３）と、上記読取面に光を照射する光源（９）と、上記読取面からの反射光を所定の光路方向に反射する複数の反射ミラー（１０）と、上記反射ミラーからの光を集光する集光レンズ（７）と、上記集光レンズからの光を光電変換するセンサ（８）とを備える。上記光源は、上記読取面に角度の異なる少なくとも２方向から光を照射する第１発光体（９ａ）と第２発光体（９ｂ）で構成し、上記反射ミラーは、上記読取面からの光を所定の読取光路方向に反射する複数の反射部材（１０）で構成する。この反射部材の１つ（１０ａ）は上記プラテンに対して所定角度傾斜して配置されるとともに、平板形状の透光性基板で構成され、前記反射部材の表面の一部には光を鏡面反射するミラー反射面（１０ｘ）と光を透過する透光面（１０ｙ）を形成し、上記第１発光体は、上記プラテンと前記反射部材のミラー反射面側との間に配置され、上記第２発光体は、上記反射部材の透光面を透過して上記読取面に光を照射するように前記反射部材のミラー反射面の背面側に配置する。【００２０】
上記第２発光体から読取面に照射する光の中心の照射角度（θ２）は、上記第１発光体から上記読取面に照射する光の中心の照射角度（θ１）より小さく設定し、上記第２発光体は、読取面に照射する線状光の中心が上記反射部材の端面（１０ｚ）と上記ミラー反射面（１０ｘ）との間の透光面（１０ｙ）を通過するように配置する。この構成により第２発光体からの光の中心を透光面を透過させることで、照射角度θ２を微少な角度に設定することが可能となる。【００２１】
上記第１発光体の光量は、上記第２発光体の光量よりも大きくなるよう構成した。この構成により、光電変換センサに多くの正反射光が入射し、光電変換センサが飽和することを防止することが可能となる。【００２２】
上記第１第２の発光体は、発光ダイオードと、この発光ダイオードからの光を線状光に偏光する導光体とから構成される。【００２３】
上記反射ミラーを構成する複数の反射部材のうち上記読取面からの反射光を最初に反射する第１反射部材に上記ミラー反射面と透光面を形成し、この第１反射部材の背面に上記第２発光体を配置する。この第１反射部材を透過して主走査方向に光を照射するため照射する光の長さを比較的短く形成することが可能となる。【００２４】
また、上記課題を解決するために、本発明の第２の態様は、読取面を有するプラテンと、上記読取面に光を照射する光源と、上記読取面からの反射光を所定の光路方向に反射する反射ミラーと、上記反射ミラーからの光を集光する集光レンズと、上記集光レンズからの光を光電変換するセンサとを備える。上記光源は、主として乱反射光を原稿に照射する第１発光体と、主として正反射光を原稿に照射する第２発光体とで構成され、上記反射ミラーは、上記読取面からの光を所定の読取光路方向に反射する複数の反射部材で構成され、上記反射ミラーは、上記読取面からの反射光を最初に反射する第１反射部材と、この第１反射部材からの光を所定の読取光路方向に反射する第２反射部材とを備える。この反射部材の１つは前記プラテンに対して所定角度傾斜して配置されるとともに、平板形状の透光性基板で構成され、前記反射部材の表面の一部には光を鏡面反射するミラー反射面と光を透過する透光面が形成され、上記ミラー反射面と透光面は、上記第２反射部材に形成され、上記第１発光体は、上記プラテンと上記第１反射部材との間に配置され、上記第２発光体は、上記第２反射部材の透光面を透過して上記読取面に光を照射するように上記反射部材の背面側に配置される。上記ミラー反射面と透光面を、上記第２反射部材に形成し、この第２反射部材のミラー反射面の背面側に上記第２発光体を配置することによって、光源と原稿面との距離を離すことが出来るため、照射角度を小さくすることが可能となる。【００２５】
上記ミラー反射面と透光面を有する反射部材は、上記読取面に近い位置に透光面が、読取面から遠い位置にミラー反射面が形成される。【００２６】
上記反射部材の透光面に隣接する端面は、上記読取面に略々平行となるように面取りする。これによって、照射面と原稿面が直接対向するので、照射する光源が反射部材のエッジで不安定に散乱することがない。【００２７】
上記反射部材の背面には、表面側に形成されたミラー反射面に対向する位置に光を反射する反射面が設けられ、この反射面は、前記第２発光体から照射され前記ミラー反射面で反射された光を前記読取面に向けて反射するように形成する。これによって光源が読取りライン方向に輝度にバラツキがあっても反射面で拡散され均一化する。【００２８】
更に、上記課題を解決するために、本発明の第３の態様は、読取面を有するプラテンと、上記読取面に光を照射する光源と、上記読取面からの反射光を所定の光路方向に反射する複数の反射ミラーと、上記反射ミラーからの光を集光する集光レンズと、上記集光レンズからの光を光電変換するセンサとを備える。上記光源は、上記読取面に角度の異なる少なくとも２方向から光を照射する第１発光体と第２発光体で構成し、上記反射ミラーは、上記読取面からの光を所定の読取光路方向に反射する複数の反射部材で構成する。この反射部材の１つは上記プラテンに対して所定角度傾斜して配置されるとともに、平板形状の透光性基板で構成され、前記反射部材の表面の一部には光を鏡面反射するミラー反射面と光を透過する透光面を形成し、上記第１発光体は、上記プラテンと前記反射部材のミラー反射面側との間に配置され、上記第２発光体は、上記反射部材の透光面を透過して上記読取面に光を照射するように前記反射部材のミラー反射面の背面側に配置する。上記ミラー反射面と透光面を有する反射部材は、上記ミラー反射面は反射部材の略々中央部に、上記透光面は反射部材の略々両端部に形成し、上記第２発光体はこの両端部に形成された透光面から上記読取面に光を照射するように配置する。これによって第２発光体の光が読取面に２方向から照射されることとなり、読取面からの反射光の傾きが反対方向に偏っても確実に反射光を読取ることが出来る。【００２９】
上記反射部材の背面には、上記第２発光体の光を反射するリフレクターを配置し、このリフレクター（１８）は第２発光体からの光を上記読取面に向けて集光する偏光特性を有する。この構成によってリフレクターを位置調整することによって第２発光体からの線状光の中心の照射角度θ２を簡単に調整することが出来る。更に、リフレクターによる２方向照射の為、光軸の傾きが反対方向になった場合でも直接反射光を読取ることが出来る。【００３０】
上記反射部材の背面には、上記第２発光体の光を所定方向に反射するリフレクターが配置され、このリフレクターは第２発光体からの光を上記読取面に向けて集光する偏光特性を有する。【００３１】
加えて、上記課題を解決するために、本発明の第４の態様は、読取面を有するプラテンと、上記読取面に光を照射する光源と、上記読取面からの反射光を所定の光路方向に反射する複数の反射ミラーと、上記反射ミラーからの光を集光する集光レンズと、上記集光レンズからの光を光電変換するセンサとを備える。上記光源は、上記読取面に角度の異なる少なくとも２方向から光を照射する第１発光体と第２発光体で構成し、上記反射ミラーは、上記読取面からの光を所定の読取光路方向に反射する複数の反射部材で構成する。この反射部材の１つは上記プラテンに対して所定角度傾斜して配置されるとともに、平板形状の透光性基板で構成され、前記反射部材の表面の一部には光を鏡面反射するミラー反射面と光を透過する透光面を形成し、上記第１発光体は、上記プラテンと前記反射部材のミラー反射面との間に配置され、上記第２発光体は、上記反射部材の透光面を透過して上記読取面に光を照射するように前記反射部材のミラー反射面の背面側に配置する。上記反射部材の背面には、上記第２発光体の光を所定方向に反射するリフレクターが配置され、このリフレクターは第２発光体からの光を上記読取面に向けて集光する偏光特性を有する。上記リフレクターは、上記ミラー反射面の両側に形成された上記透光面の一方から上記読取面に光を照射する第１リフレクト面と、上記透光面の他方から上記読取面に光を照射する第２リフレクト面とを有する。【００３２】
上記リフレクターは、第２発光体からの光を、上記第１リフレクト面から上記反射部材の一方の透光面に、上記第２リフレクト面から上記反射部材の他方の透光面に、それぞれ分岐して投射する。【００３３】
上記第１リフレクト面と第２リフレクト面とは、それぞれが上記透光面に投射する光量が略々等分となるように上記第２発光体からの光を分岐する。【００３４】
上記第１リフレクト面と第２リフレクト面とは、上記反射部材に対して中央部のミラー反射面に投射する光量が少なく、両端部の透光面に投射する光量が多くなるように第２発光体からの光を分岐する。【００３５】
上記第１リフレクト面と第２リフレクト面とは、上記第２発光体からの光を集光して上記透光面に投射する曲面形状に形成されている。【００３６】
上記第１リフレクト面と第２リフレクト面とは、中心点が異なる面を形成する。【００３７】
上記反射部材のミラー反射面は、上記第２発光体からの光を全反射して遮るように形成されている。【００３８】
上記第２発光体はそれぞれ線状光を発光する第１第２の発光部で構成され、この第１の発光部は前記第１リフレクト面に光を投射し、第２の発光部は前記第２リフレクト面に光を投射するように配置される。
【発明の効果】
【００３９】
本発明は読取面に線状光を角度の異なる２方向から照射する光源を第１発光体と第２発光体で構成し、上記第１発光体を上記プラテンと前記反射部材のプラテン側の面との間に配置し、この第２発光体を読取面からの光を所定の読取光路方向に反射する平板形状の反射部材の背面に配置すると共に、この反射部材表面に光を鏡面反射するミラー反射面と光を透過する透光面を形成したものであるから以下の効果を奏する。【００４０】
プラテンと反射部材の間に第１発光体を配置し、第２発光体は反射部材の透光面を透過して読み取り面に光を照射するように構成したことにより、装置の高さ方向をコンパクト化することが出来る。更に、第２発光体は反射部材の背面から読み取り面に光を照射するように構成することにより、光源部の副走査方向への大きさを抑えることが出来、結果として装置全体を小型化することが可能になる。【００４１】
第２発光体からの光は反射部材の背面から透光面を透過して読取面に光を照射し、読取面からの反射光はミラー反射面で所定の読取光路方向に光を鏡面反射することとなり、ガラスその他の透明部材で構成される反射部材には、その一部に光を鏡面反射するミラー反射面（蒸着面）が形成される。このためミラー反射面を極小（小面積）に形成しても反射部材自体が衝撃或いは熱で変形する恐れがない。また、光源からの光が装置内の構成部品に当たって乱反射した場合であっても、ミラー反射面の裏面によって、乱反射した光が読取り光路に侵入することを防ぐことが出来る。【００４２】
これと共に反射部材にはミラー反射面を、光を所定方向に反射する極限の面積まで極小化することが出来るから、背面側から光を読取面に照射する第２発光体の光路を読取面からミラー反射面に至る反射光路に接近した位置に配置することが出来る。従って第２発光体から読取面に照射した光のほぼ正反射光を読取光路に導入することが可能であり、これによって光沢画像を正確に読取ることが出来る。【００４３】
更に、光源からの光は、第１リフレクト面と第２リフレクト面の２方向から読取面に光を投射し、この第１第２のリフレクト面はミラー基板のミラー反射面の両側から光を投射することとなり、原稿画像面に凹凸があっても２方向いずれかの光の反射光がミラー反射面に案内される。このため例えば原稿画像が光沢度の高い光沢画像の場合に正反射光に近い反射光をミラー反射面に案内することが可能となる。【００４４】
従ってミラー反射面を挟んで、これと接近した２方向から光を投射するため、光源光量を効率的に読取面に向けることが出来る。このため光源ランプの消費電力、発熱量などを低減することが可能である。【００４５】
また、本発明は読取面からの反射光を読取り光路方向に偏向するミラー基板に、その中央部にミラー反射面を、その両端部に透光を設け、この両端部の透光から光を投射するように構成しているから、例えばミラー反射面を鏡面コーティングで形成する際にその面積を極小化すること可能であり、これによってミラー基板を極小化する必要がないからミラー基板自体が衝撃或いは熱で変形する恐れがない。これと共に光源からの光をミラー反射面に接近した位置から読取面に投射することが出来るから光のほぼ正反射光を読取光路に導くことが可能であり、これによって光沢画像を正確に読取ることが出来る。【００４６】
更に本発明は、第１リフレクト面と第２リフレクト面を曲面形状に形成して光源からの光を集光させることによってミラー基板のミラー反射面に投射する光量を低減することが可能である。この構成の採用によってミラー基板の背面に配置した光源から投射した光がミラー反射面で乱反射して読取光路に進入するのを防ぐことが可能となる。【００４７】
また、第１リフレクト面と第２リフレクト面に単一の光源から光を投射して２方向に分岐させることが、２つのリフレクト面の形状によって簡単に構成することが可能である。このように２方向の投射光をリフレクト面の形状によって均一光量に調整することが簡単に出来る。【００４８】
更に本発明は、プラテンの読取面に第１、第２リフレクト面から正反射読取光を照射し、これとは別に読取面に拡散反射読取光を照射する光源手段を設けることによって、光沢画像など光沢度の異なる原稿画像の読取が可能となる。
【図面の簡単な説明】
【００４９】
【図１】本発明に係わる画像読取装置の全体構成の説明図。
【図２】図１の装置における原稿画像を読取るキャリッジの構成を示す説明図。
【図３】図２の装置における光源機構を示し、（ａ）は光源のレイアウト構成を示し、（ｂ）は（ａ）の要部拡大図。
【図４】図３と異なる光源機構の構成図であり、（ａ）は第１反射部材を面取りした場合を示し、（ｂ）は第１反射部材に反射シートを設けた場合を示す。
【図５】図３および図４と異なる光源機構の構成図。
【図６】第２光源を第２反射部材の背面に設けた場合の構成説明図。
【図７】図３乃至図６と異なるキャリッジ構造の光源手段の構成（第６実施形態）を示し、（ａ）はプラテンに照射する光源手段のレイアウト構成を、（ｂ）はリフレクター部の構造を示す。
【図８】図７と異なる光源手段の構成（第７実施形態）を示し、（ａ）はプラテンに照射する光源手段のレイアウト構成を、（ｂ）はリフレクター部の構造を示す。
【図９】図８と異なる光源手段の構成（第８実施形態）を示す。
【図１０】上記実施例と異なる反射部材の構成を示し、（ａ）はスリットを設けた場合を、（ｂ）は細いミラーで構成した場合の外観図。
【図１１】図１の装置におけるキャリッジの外観斜視図。
【図１２】本発明に係わる光源の構造を示し、（ａ）は全体構造を示し、（ｂ）は発光体の配置構造を示す。
【図１３】図１２に示す光源の発光体の配置構造を示す説明図であり、（ａ）は発光体を２つの発光ダイオードで構成する場合を、（ｂ）（ｃ）は発光体を３つの発光ダイオードで構成する場合を、（ｄ）（ｅ）は発光体を４つの発光ダイオードで構成する場合をそれぞれ示す。
【図１４】図１の装置の画像読取部の要部説明図であり、基準板の配置構成図を示す。
【図１５】光電センサから出力された画像データの処理回路。
【図１６】図１５のデータ処理部の補正回路の説明図であり、（ａ）は正反射光出力を示し、（ｂ）は拡散反射出力を示し、（ｃ）は光沢画素データの判別回路の概念図。
【図１７】図１の装置のイニシャライズ動作を示すフローチャート。
【図１８】本発明に係る画像読取動作の実行手順を示すフローチャート。
【図１９】本発明に係る画像データ取得方法を示すフローチャート。
【図２０】図１の装置と異なる光源の構成説明図。
【図２１】光源機構の従来例を示す説明図。
【発明を実施するための形態】
【００５０】
［第１実施例］
以下図示の好適な実施の形態に基づいて本発明を詳述する。図１に本発明に係わる光源構造を備えた画像読取装置を示す。この装置は画像読取装置Ａと、これに搭載した原稿給送装置Ｂから構成されている。以下画像読取装置Ａ、原稿給送装置Ｂの順に説明する。
【００５１】
［画像読取装置］
本発明に係わる画像読取装置Ａは、図１に示すように装置ハウジング１に第１プラテン２と、第２プラテン３を備えている。この第１、第２プラテン２、３は、ガラスなどの透明材料で形成され、装置ハウジング１の天部に固定されている。そして第１プラテン２は原稿を載置セットする寸法サイズに形成され、第２プラテン３は所定速度で移動する原稿を読取るようにその幅サイズに形成されている。この第２プラテン３には後述する原稿給送装置Ｂが装備される。上記第１、第２プラテン２、３は図１に示すように互いに並設され、装置ハウジング１内部に画像読取機構が内蔵されている。
【００５２】
この画像読取機構を図２（図１の要部拡大図）に従って説明する。装置ハウジング１内には、光学キャリッジ（以下単に「キャリッジ」という）６が配置され、第１プラテン２に沿って往復動するのと同時に第１プラテン２と第２プラテン３の間で位置移動可能に構成されている。そしてキャリッジ６は耐熱性樹脂などで構成されたユニットフレーム１１がガイドレール１２に軸受け支持されている。このとき、ユニットフレーム１１はキャリッジ６内での光の乱反射を防ぐため樹脂材料には、カーボンなどの黒色の顔料が混入されており、ユニットフレーム１１は黒色とされている。
【００５３】
キャリッジ６のユニットフレーム１１には、光源９（後述の第１光源９ａと第２光源９ｂ）と、原稿からの反射光を偏向する反射ミラー１０（第１ミラー１０ａ、第２ミラー１０ｂ、第３ミラー１０ｃ、第４ミラー１０ｄ、第５ミラー１０ｅ）と、反射ミラー１０ｅからの光を集光する集光レンズ７と、集光レンズ７で結像される結像部に配置されたラインセンサ８とが搭載されている。そしてラインセンサ８から電気信号として出力された画像データを画像処理部に転送するようにデータ転送ケーブルによって画像処理部（データ処理ボード；不図示）に電気的に接続されている。
【００５４】
［キャリッジの構成］
上記キャリッジ６は装置フレームに配置されたガイドレール１２に軸受けされ、このガイドレール１２に沿って往復動するように支持されている。またキャリッジ６にはワイヤなどの巻き上げ部材を介してキャリッジモータ（不図示）に連結され、このモータの正逆転で図２左右方向に往復動する。上記ガイドレール１２は左右一対が第１プラテン２と並行に配置され、キャリッジ６を往復動するように構成されている。
【００５５】
図２に示すように第１プラテン２と第２プラテン３は略々同一平面に配置され、その下方に位置するキャリッジ６は第１プラテン２と第２プラテン３の直下に位置移動自在にガイドレール１２に支持され、図示しないキャリッジモータで第１プラテン２と第２プラテン３の間を選択的に位置移動する。そしてキャリッジ６は第１プラテン２に沿って移動する過程で、この第１プラテン２にセットされた原稿を走査しラインセンサ８で線順次で画像を読取る。これと同時にこのキャリッジ６は第１プラテン２から第２プラテン３の直下に移動し、この位置に静止した状態で第２プラテン上を所定速度で移動する原稿の画像を線順次で読取るように構成されている。
【００５６】
上記キャリッジ６には後述する光源９と、この光源９から照射した光の反射光を所定の読取り光路方向に偏向する反射ミラー１０が搭載されている。図２に示す装置は読取面Ｒからの反射光を第１ミラー１０ａで偏向し、その光を第２ミラー１０ｂ、第３ミラー１０ｃに案内し、この第３ミラー１０ｃから第２ミラー１０ｂ、第４ミラー１０ｄ、第５ミラー１０ｅの順に光路を形成している。そして第５ミラー１０ｅからの光を集光レンズ７でラインセンサ８に結像するようになっている。
【００５７】
上記集光レンズ７は１枚若しくは複数枚のレンズで構成され、全体として凸レンズを構成している。そしてラインセンサ８はＣＣＤなどの光電変換素子で構成され、図示のものはＲＧＢのカラーセンサアレイで構成されている。なお、本発明にあってこの集光レンズ７とラインセンサ８は、キャリッジ６に搭載する場合を示したが、装置ハウジング１の例えば底部シャーシに配置しても良い。この他キャリッジ６を第１第２、２つのキャリッジで構成し、第１キャリッジに光源と反射ミラーを搭載し、第２キャリッジに集光レンズとラインセンサを搭載するキャリッジ構成にしても良い。
【００５８】
［光源の構成］
上記キャリッジ６には読取面Ｒに線状光を照射する光源９が搭載される。本発明の光源は読取面Ｒに対して角度の異なる２方向から光を照射する。図１の装置における光源機構を図３（ａ）（ｂ）に示す。第１第２プラテン２、３の読取面Ｒには第１光源９ａから図示角度θ１で線状光Ｈｐ１が入射され、第２光源９ｂから図示角度θ２で線状光Ｈｐ２が入射されるように第１発光体２０が設けられている。
【００５９】
図示角度θ１、角度θ２はプラテン面からの法線に対する角度を示し、この法線方向に読取光路（読取面Ｒから反射ミラー１０ａに導かれる反射光；以下同様）Ｈｒが形成される。なお図示の装置は第１光源９ａを一対の発光体２０で構成している。これは読取面Ｒへの照射光量を確保するためであり、この第１光源９ａは必ずしも一対の発光体で構成する必要はなく例えば１本の蛍光ランプ、或いは１つの発光体（ＬＥＤアレイなど）で構成しても良い。
【００６０】
そこで第１光源９ａと読取光路Ｈｒとの角度θ１と、第２光源９ｂと読取光路Ｈｒとの角度θ２は次のように設定する。角度θ１は第１光源９ａからの拡散光が読取光路Ｈｒを形成するように読取面Ｒから傾斜した方向に設定する。従って第１光源９ａ（図示のものは左右一対）の取付スペースなどのレイアウト構造によってθ１を設定する。
【００６１】
つまり第１光源９ａは読取面Ｒに近接した位置で入射角度θ1は光源ランプなどの配置スペースによって決定する。そして第１光源９ａからの拡散光を読取面Ｒに照射し、原稿シートの凹凸（表面粗さ）で読取面Ｒの法線方向に配置されている反射ミラー（第１ミラー）１０ａに反射光（読取光）を入射させる。
【００６２】
第２光源９ｂ（後述する第２発光体２１）の角度θ２は光沢原稿の表面粗さによって設定する。この表面が完全平滑面であるときにはθ２＝０度に設定する必要があるが完全平滑面は存在しない。そこで本発明者は最も完全平滑面に近い光沢原稿について実験したところ図１の装置では３度以内が好適であることか判明した。
【００６３】
このような設定によって通常は角度θ１＞角度θ２となり、角度θ２は許容最大角度が読取り原稿の光沢度（表面粗さ）に応じて決められ（図１の装置では３度以内）、これを越えると黒抜け現象が生ずる。図３（ａ）（ｂ）に第２光源９ｂ（２１）のレイアウト構造を示す。
【００６４】
第１光源９ａ（２０）は第１、第２プラテン２、３の読取面Ｒに近接した位置で角度θ１傾斜した方向から左右いずれか一方若しくは左右両方向から拡散光を照射するようにキャリッジ６のユニットフレーム１１に配置されている。一方第２光源９ｂは読取面Ｒからの反射光（読取光路Ｈｒ）を所定方向に反射する第１ミラー１０ａの背面に配置されている。図３に示す形態（第１実施例）は第２光源９ｂからの線状光Ｈｐ２を読み取り面Ｒに照射するように構成されている。この線状光Ｈｐ２は読取面Ｒに前述した角度θ２で入射するように配置されている。
【００６５】
第１光源９ａからの反射光は実質的に拡散反射光（その成分のほとんどが拡散光）が光電変換され、第２光源９ｂからは実質的に正反射光が光電変換される。そこで第１光源９ａからの光電センサ８の出力値を拡散反射出力値、第２光源９ｂからの出力値を正反射出力値という。
【００６６】
［反射ミラーの構成］
前述したようにキャリッジ６には反射ミラー１０が複数の反射部材（図示のものは第１ミラー１０ａ〜第５ミラー１０ｅ）で構成してあり、それぞれユニットフレーム１１に固定されている。そして上述した第２光源９ｂをその背面に配置する反射部材（第１ミラー；以下同様）１０ａは、図３（ｂ）に示すようにその一部は第２光源９ｂからの線状光Ｈｐ２を透過し、他の一部は読取面Ｒからの読取光路Ｈｒを鏡面反射するように構成されている。
【００６７】
この反射部材１０ａは透明ガラス、透明プラスチックスなどの透光性材料で平板形状の基板で構成され、その表面には光を鏡面反射するミラー反射面１０ｘと光を透過する透光面１０ｙが形成されている。つまりガラスなどの透光性基板（基材）の表面の一部にアルミなどの金属膜を真空蒸着などで形成してミラー反射面１０ｘを設ける。そしてこの表面には金属膜でコーティングしない透光面１０ｙを設ける。
【００６８】
図３に示す実施例では読取面Ｒからの反射光（読取光路Ｈｒ）を最初に反射する第１反射部材１０ａにミラー反射面１０ｘと透光面１０ｙを形成し、この反射部材１０ａは読取光路Ｈｒ（読取面Ｒの法線方向）に対して所定角度（図３（ｂ）に示す角度α）傾斜して配置してある。この状態でミラー反射面１０ｘは下半部（読取面Ｒから遠い位置）に、透光面１０ｙは上半部（読取面Ｒに近い位置）に配置してある。
【００６９】
そして第２光源９ｂからの光は反射部材１０ａの端面１０ｚ（図３（ｂ）参照）と下半部に形成されているミラー反射面１０ｘとの間の透光面１０ｙを通過するようになっている。このように所定角度（α）傾斜した反射部材１０ａの下半部にミラー反射面１０ｘを、上半部に透光面１０ｙを形成することによって第２光源９ｂからの散乱光（図３（ｂ）にＨｊで示す）が読取光路Ｈｒに進入してフレア現象を起こすことがない。従ってラインセンサ８に第２光源９ｂからの散乱光が直接進入するのをミラー反射面１０ｘが防止している。
【００７０】
また第２光源９ｂからの光は反射部材１０ａの端面１０ｚとミラー反射面１０ｘとの間を通過するように構成している。これは第２光源９ｂからの光が端面１０ｚに照射されるとこの部分で散乱光が発生し、その光が読取光路Ｈｒ内に進入するのを防止する為である。
【００７１】
次に上述した第１実施例の変形例を図４、図５に基づいて説明する。
【００７２】
［第２実施例］
図４（ａ）には前述の第１反射部材１０ａの端面構造の改良を示し、この第１反射部材１０ａにはミラー反射面１０ｘが下半部に、透光面１０ｙが上半部に形成されている。この透光面１０ｙに隣接する端面１０ｚに第２光源９ｂ（２１）から光が照射されると端面で乱反射しその光が直接読取光路Ｈｒに進入する恐れがある。このため図４（ａ）に示す第１反射部材１０ａの端面１０ｚは読取面Ｒ（プラテン面）に略々平行となるように面取りしてある。これにより端面１０ｚで乱反射した光が直接読取光路Ｈｒに進入することがない。
【００７３】
［第３実施例］
図４（ｂ）には前述の第１反射部材１０ａの反射面構造の改良を示し、第１反射部材１０ａの表面にはミラー反射面１０ｘが下半部に、透光面１０ｙが上半部に形成されている。そこで第１反射部材１０ａの背面には反射シート１０ｗが上半部に添着されている。この反射シート１０ｗは例えばフレネルレンズ形状に形成された反射面が設けられている。
【００７４】
そして第１反射部材１０ａの下半部に形成されているミラー反射面１０ｘで反射された光を反射面で反射して透光面１０ｙから読取面Ｒに照射するように構成されている。そして第２光源９ｂ（２１）からは光がミラー反射面１０ｘの背面に照射されるように配置されている。その他の構成は第１実施例と同一であり、同一符合を付して説明を省略する。
【００７５】
前述した第３実施例では第１反射部材１０ａの表面にはミラー反射面１０ｘが下半部を、透光面１０ｙを上半部に形成する場合を示した。この場合原稿表面の光沢度（平滑度）が更に高いと画像を読み取れないことがある。同様に第１反射部材１０ａが読取面Ｒに近い位置に配置されている場合には、前述した３度を越えた角度から光を照射することがある。
【００７６】
［第４実施例］
このため図５にはその改良を示し、第１反射部材１０ａの略々中央部にミラー反射面１０ｘを形成し、透光面１０ｙを第１反射部材１０ａの略々両端部に配置する。そして第２光源９ｂ（２１）をこの両端部に形成された透光面１０ｙから読取面Ｒに光を照射するように配置する。
【００７７】
これにより読取面Ｒには第１反射部材１０ａの背面から中央のミラー反射面１０ｘを除いて左右２方向から線状光Ｈｐ２ＲとＨｐ２Ｌが照射される。この左右２方向からの光の照射によって読取面Ｒには拡散光の反射光が読取光路Ｈｒに導入される。なお図示３６は第２光源９ｂ（２１）からの光を拡散する拡散板である。
【００７８】
［第５実施例］（第２光源の他の実施例）
上述した実施例では第２光源９ｂ（２１）を読取面Ｒからの反射光を最初に偏向する第１ミラー（第１反射部材）１０ａの背面に配置する場合を示した。この第２光源９ｂ（２１）は第１ミラー１０ａと対向配置されている第２ミラー（第２反射部材）１０ｂの背面に配置することも可能である。
【００７９】
図６には、第２反射部材１０ｂの背面に第２光源９ｂを配置する場合を示す。読取面Ｒから最初に反射光を入光する第１反射部材１０ａと対向する位置に第２反射部材１０ｂが配置され第１反射部材１０ａからの光を所定の読取光路Ｈｒに向けて偏向する。この第２反射部材１０ｂは、透明ガラス、透明プラスチックスなどの透光性材料で平板形状の基板で構成され、その表面には光を鏡面反射するミラー反射面１０ｘと光を透過する透光面１０ｙが形成されている。ミラー反射面１０ｘはガラスなどの透光性基板（基材）の表面の一部にアルミなどの金属膜を真空蒸着などで形成されている。
【００８０】
この第２反射部材１０ｂは第１反射部材１０ａと対向するように読取面Ｒの法線方向に対して所定角度（図６に示す角度β）傾斜して配置してある。この状態でミラー反射面１０ｘは下半部（読取面Ｒから遠い位置）に、透光面１０ｙは上半部（読取面Ｒに近い位置）に配置してある。
【００８１】
そして第２光源９ｂ（２１）はこの透光面１０ｙの背面側に配置され、その光を透光面１０ｙを通過して第１反射部材１０ａに入射するようになっている。そして第１反射部材１０ａに入射された線状光Ｈｐ２は読取面Ｒに照射する。このように構成することによって読取面Ｒに照射する第２光源９ｂ（２１）からの線状光Ｈｐ２の入射角度θ２を所定角度（例えば３度）以内に設定することが可能となる。
【００８２】
以上説明した第２光源９ｂと反射部材１０ａの第１、第２、第３の実施例では、第２光源９ｂからの光を反射部材１０ａを透過させ読取面Ｒに照射する場合を示したが、リフレクター１８を配置して、リフレクター１８で集光した光を読取面Ｒに照射しても良い。
【００８３】
［第６実施例］
その形態を変形例として図７に示す。リフレクター１８を除く他の構成は図３の実施例と同一であるので同一符合を付して説明を省略する。図７には反射ミラー１０を第１反射部材１０ａ、第２反射部材１０ｂ、第３反射部材１０ｃで構成する場合を示す。そして第２光源９ｂ（後述する第２発光体２１）からの光をリフレクター１８で反射してその線状光Ｈｐ２を読取面Ｒに照射するように構成されている。この線状光Ｈｐ２は読取面Ｒに前述した角度θ２で入射するように配置されている。
【００８４】
そして第２光源９ｂからの光は反射部材１０ａの端面１０ｚ（図７（ｂ）参照）と下半部に形成されているミラー反射面１０ｘとの間の透光面１０ｙを通過するようになっている。このように所定角度（α）傾斜した反射部材１０ａの下半部にミラー反射面１０ｘを、上半部に透光面１０ｙを形成することによって第２光源９ｂからの散乱光（図７（ｂ）にＨｊで示す）が読取光路Ｈｒに進入してフレア現象を起こすことがない。従ってラインセンサ８に第２光源９ｂからの散乱光が直接進入するのをミラー反射面１０ｘが防止している。
【００８５】
［第７実施例］
図８（ａ）（ｂ）にその変形例を示す。上述の第６実施例とは、リフレクター部１８の構成を除き同一であるので、同一部分については同一符号を付して説明を省略する。
【００８６】
図８に示す実施例では、リフレクター部１８は樹脂、金属などのリフレクター部材で構成し、このリフレクター部材には、発光部２１からの線状光を一方の透光面１０ｙを透過し読取面ＲにＨｐ２Ｒとして投射する第１リフレクト面１８ａと、他方の透光面１０ｚを透過し読取面ＲにＨｐ２Ｌとして投射する第２リフレクト面１８ｂが設けられている。従って単一の線状光を発光する発光部２１からの光を第１第２リフレクト面で２方向に分岐している。
【００８７】
この場合、第１リフレクト面１８ａから透光面１０ｙを経て読取面Ｒに至る照射光量と、第２リフレクト面１８ｂから透光面を経て読取面Ｒに至る照射光量とが略々均等となるように発光部２１と第１第２リフレクト面の位置を設定している。図８（ａ）に示すように光源の中点Ｐｘが、第１第２リフレクト面１８ａ、１８ｂの境界線１８ｃに位置し発光面の右半分が第１リフレクト面１８ａに光を投射し、発光面の左半分が第２リフレクト面１８ｂに光を投射するように配置している。そして発光面から読取面に至る光路長が両者略々均等となるように配置している。
【００８８】
また、上記第１第２リフレクト面は図８（ｂ）に示すように発光部２１からの光が中央のミラー反射面１０ｘの背面に投射する光量を出来るだけ少なくし、両端部の透光面１０ｙ、１０ｚに投射する光量を出来るだけ大きくするようになっている。このため第１第２リフレクト面からの光の投射角度を設定する。図示の第１リフレクト面の角度α１は透光面１０ｙに光の投射方向が向き、第２リフレクト面の角度α２は透光面１０ｚに光の投射方向が向くように設定している。
【００８９】
これと共に第１第２リフレクト面は図８（ｂ）に示すようにそれぞれ曲面形状に形成し、光源からの光を透光面１０ｙ、１０ｚに向けて集光するようにしてある。
【００９０】
以上説明したように第１第２リフレクト面は発光部２１からの光を均等に等分するように発光部との位置関係と反射面積が設定され、各リフレクト面の角度姿勢（α１、α２）はそれぞれの反射光が透光面１０ｙ、１０ｚに指向するように設定されている。
【００９１】
更に図示のものは第１第２リフレクト面を曲面形状にして透光面１０ｙ、１０ｚに光を集光するようにしている。このような構成によって反射部材１０ａのミラー反射面１０ｘの背面に光源からの光が照射しないようにしている。
【００９２】
従ってミラー反射面１０ｘの背面に投射された光が乱反射して読取光路Ｈｒに進入することが軽減される。
【００９３】
なお、図示の第１第２リフレクト面は樹脂製のリフレクター１８に鏡面フィルムを貼着して構成している。これによってリフレクター部材に直接蒸着加工する必要がなくなるので加工が容易で加工コストを低減することが出来る。
【００９４】
［第８実施例］
図９には、第１リフレクト面１８ａを第１のリフレクター１８Ａに、第２リフレクト面１８ｂを第２のリフレクター１８Ｂに配置する場合を示している。そして第１リフレクト面１８ａには第２光源（第１の発光部）２１ａ（９ｂ）から光を投射し、第２リフレクト面１８ｂにはこれと異なる第２光源（第２の発光部）２１ｂ（９ｂ）から光を投射するようにしている。このように本発明は第１第２のリフレクター面に単一の光源から光を投射する形態であっても、それぞれ個別の光源から光を投射する形態であってもいずれでも良い。
【００９５】
この場合に、前述の第７実施例と同様に第１リフレクト面１８ａから読取面Ｒに投射する光の照射角度θ２と、第２リフレクト面１８ｂから読取面Ｒに投射する光の照射角度θ２は、略々等しい角度となるように、第１第２リフレクト面とミラー反射面１０ｘとの位置関係が設定されている。また第１リフレクト面１８ａから読取面に投射する光量と、第２リフレクト面１８ｂから読取面に投射する光量は、略々等しい光量に設定することが好ましい。この光量設定は第２光源２１ａ、２１ｂの光源明るさと、光源から読取面に至る光路長を調整する。
【００９６】
また、図９に示す第１リフレクト面１８ａと第２リフレクト面１８ｂは、その反射（投射）角度方向が、反射部材１０ａの両端部に形成されている透光面１０ｙ、１０ｚに投射されるように図示α１、α２が設定されている。これと共に第１、第２リフレクト面１８ａ、１８ｂは曲面形状に形成され発光部からの光を透光面１０ｙ、１０ｚに向けて集光するように形成されている。
【００９７】
［反射ミラーの異なる実施例］
なお、反射部材（第１ミラー）１０ａは図１０に示すような形状に構成することも可能であり、同図（ａ）に反射部材にスリットを設けた場合を示し、（ｂ）にミラー反射面１０ｘの両側に透光面１０ｙを形成した場合を示す。
【００９８】
［発光体の構成］
上述した第１光源９ａ（２０）と第２光源９ｂ（２１）とは、いずれも読取面Ｒに線状光Ｈｐ１、Ｈｐ２を異なる２方向から照射する。そして第１光源９ａ（２０）からは照射角度θ１で拡散光が、第２光源９ｂ（２１）からは照射角度θ２で正反射光（正確には正反射光に近い光）が読取光路Ｈｒに導かれるようにθ１＞θ２に設定し、更に角度θ２は読取光路Ｈｒに近接する位置に配置する。
【００９９】
そこで第１光源９ａ（２０）の発光量は第２光源９ｂ（２１）の発光量より大きく構成する。これは、原稿の光沢性が高いと、照射される光の多くが正反射方向へ反射される。そのため、拡散反射読取と比較して多くの光量がＣＣＤに入射し、ＣＣＤが飽和するおそれがあるためである。これを防止するために拡散読取に用いる第１光源９ａの発光量を光沢読取りに用いる第２光源９ｂの発光量より大きくする。なお、第１光源９ａの発光量と第２光源９ｂの発光量の比率は、１０：１〜２０：１程度が最適である。
【０１００】
そこで第１光源９ａと第２光源９ｂは読取面Ｒに図３（ａ）左右方向と直交する主走査方向の線状光を照射するように構成する。このため第１光源９ａと第２光源９ｂは、所定長さの蛍光灯（冷陰極管）、ＬＥＤアレイ、キセノンランプなどで構成する。図１１に光源９をキャリッジ６に搭載する構成を示す。前述したキャリッジ６には光源収容部（導光体支持枠）１３が設けられ、この収容部１３は第１収容部１３ａと第２収容部１３ｂの２個所に構成されている。
【０１０１】
上記光源収容部１３には、第１光源９ａと第２光源９ｂが収納され、それぞれ導光体３０と第１発光体２０（第１光源）、第２発光体２１（第２光源）で構成されている。この第１光源９ａと第２光源９ｂとは同一構造であるので同一符合を付して第１光源９ａについてその構成を説明する。
【０１０２】
導光体３０は、図１２に示すように読取面Ｒの読取幅（読取りライン幅）Ｗに応じた長さの棒状透光部材で構成されている。導光体３０は例えば透明アクリル樹脂、エポキシ樹脂などの透光性に富んだ材料で構成され、その断面形状は矩形状、或いは図示のように断面扇形状に構成され、左右端面３１Ｌ、３１Ｒには第１発光体２０が配置される。そしてこの導光体３０には光散乱面３２と光出射面３３が互いに対向するように配置されている。
【０１０３】
このように光散乱面３２と光出射面３３は距離Ｌｄを隔てて略平行に読取りライン幅Ｗの長さで対向配置されている。光散乱面３２は塗装加工、エッチング加工、モールド成形加工などで凹凸面に形成され導入された光を乱反射するように表面加工されている。また光出射面３３は透光性に富んだレンズ表面のように表面仕上げされている。
【０１０４】
従って導光体３０内に導入された光は光散乱面３２で所定方向に拡散され、光出射面３３に導入された光は所定の臨界角度以上のときには内部に反射し、臨界角度以下のときには外部に出射される。図１２に矢印ｈａで示す光は導光体３０内で反射し読取りライン幅Ｗ方向に分散し、矢印ｈｂで示す光は光出射面３３から読取面Ｒに出射することとなる。なお図示しないが後述する第２発光体２１からは球方向（３６０度方向；図示のものは６０度広角方向）に光が入射され、光散乱面３２と光出射面３３に照射される。
【０１０５】
そこで第１発光体２０について説明すると、第１発光体２０は導光体３０の少なくとも一端面に配置される。図１２には左端面３１Ｌと右端面３１Ｒに配置する場合を示し、この左右端面の光源は左右シンメトリーとなるように構成する。この他図示しないが第１発光体２０を左右端面の一方に配置し、他方には反射部材（鏡面部材）を配置する。このときの反射部材は仮想光源が第１発光体２０と対称となるように構成する。
【０１０６】
［発光体の配置形態］
上記第１発光体２０は少なくとも２つの発光体４１、４２で構成するか、３つの発光体４１、４２、４３で構成、発光体４１、４２ａ、４２ｂで構成するか、４つの発光体４１、４２、４３ａ、４３ｂで構成、発光体４１ａ、４１ｂ、４２ａ、４２ｂで構成するか、５つの発光体４１、４２ａ、４２ｂ、４３ａ、４３ｂで構成する。
【０１０７】
この場合に発光体４１と発光体４２は光散乱面３２と光出射面３３の間で異なる位置から導光体３０の左端面３１Ｌから光を入射する。これと共に発光体４１と発光体４２は光出射面３３から読取面Ｒに向かう出射光路方向（図９に矢印ｈｘで示す）に距離を隔てて配列する。
【０１０８】
つまり散乱面３２に対して発光体４１は距離Ｌｄ１で発光体４２は距離Ｌｄ２（Ｌｄ１＜Ｌｄ２）で配列する。図示の導光体３０の出射光路方向ｈｘは光散乱面３２の法線方向と一致するように構成されている。そして各発光体４１、４２、４３は面状発光素子で構成され、白色ＬＥＤで構成されている。
【０１０９】
図１３（ａ）には第１発光体２０を発光体４１と発光体４２の２つの発光素子で構成するレイアウト構造（第１実施例）を示す。光散乱面３２の法線（出射光路方向）ｈｘに沿って発光体４１と発光体４２が配列されている。発光体４１は光散乱面３２から距離Ｌｄ１に配置され、発光体４２は距離Ｌｄ２を隔てて配置されている。この両発光体４１、４２の間にはオフセット量ｄｘが形成されている。
【０１１０】
なお上記法線ｈｘは前述したように光散乱面３２は読取りラインに沿って帯状に形成され、その中心（副走査方向の１／２）から直交する方向に出射方向が設定されている。そして発光体４１、４２はこの法線上に配列されている。
【０１１１】
図１３（ｂ）には第１発光体２０を発光体４１と発光体４２と発光体４３の３つの発光素子で構成するレイアウト構造（第２実施例）を示す。発光体４１は光散乱面３２から距離Ｌｄ１に配置され、発光体４２は距離Ｌｄ２、発光体４３は距離Ｌｄ３を隔てて配置されている。各発光体間にはオフセット量ｄｘが形成されている。この実施例も前述した法線（出射光路方向）ｈｘ上に配列されている。
【０１１２】
図１３（ｃ）には第１発光体２０を発光体４１と発光体４２とで構成し、発光体４２を２つの発光素子４２ａ、４２ｂで構成するレイアウト構造（第３実施例）を示す。発光体４１は光散乱面３２から距離Ｌｄ１に配置され、発光体４２ａと４２ｂは共に光散乱面３２から距離Ｌｄ２を隔てて配置されている。そして光出射面３３に近接する発光体４２ａ、４２ｂは法線ｈｘを中心に対称となる位置に配列されている。
【０１１３】
この実施例では光出射面３３に近接された位置に配置される発光体４２を２つの発光素子４２ａ、４２ｂで構成し、この２つの発光素子を出射光路方向（法線）ｈｘに対称に配置することを特徴としている。
【０１１４】
図１３（ｄ）には第１発光体２０を発光体４１と発光体４２と発光体４３で構成し、発光体４３を２つの発光素子４３ａ、４３ｂで構成するレイアウト構造（第４実施例）を示す。発光体４１は光散乱面３２から距離Ｌｄ１位置に、発光体４２は距離Ｌｄ２位置に、発光体４３は距離Ｌｄ３位置に配置されている。そして発光体４１と発光体４２は法線ｈｘ上に配置され、発光体４３の発光素子４３ａと４３ｂは法線ｈｘを中心に対称となる位置に配列されている。
【０１１５】
この実施例では光出射面３３に近接された位置に配置される発光体４３を２つの発光素子４３ａ、４３ｂで構成し、この２つの発光素子を出射光路方向（法線）ｈｘに対称に配置することを特徴としている。
【０１１６】
図１３（ｅ）には第１発光体２０を発光体４１と発光体４２とで構成し、この発光体４１を２つの発光素子４１ａ、４１ｂで発光体４２を２つの発光素子４２ａ、４２ｂで構成するレイアウト構造（第５実施例）を示す。そしてこの発光体４１、４２を構成する２つの発光素子は、それぞれ法線ｈｘを中心に対称となる位置に配列されている。
【０１１７】
図１３（ｆ）には第１発光体２０を発光体４１と発光体４２と発光体４３で構成し、発光体４２を２つの発光素子４２ａ、４２ｂで構成し、発光体４３を２つの発光素子４３ａ、４３ｂで構成するレイアウト構造（第６実施例）を示す。発光体４１は光散乱面３２から距離Ｌｄ１位置に、発光体４２は距離Ｌｄ２位置に、発光体４３は距離Ｌｄ３位置に配置されている。そして発光体４１と発光体４２は法線ｈｘ上に配置され、発光体４３の発光素子４３ａと４３ｂは法線ｈｘを中心に対称となる位置に配列されている。
【０１１８】
この実施例では光散乱面３２に近接された位置に配置される発光体４１を１つの発光素子で、光出射面３３に近接された位置に配置される発光体４３を２つの発光素子で、この発光体４１および発光体４３の間に近接された位置に配置される発光体４２を２つの発光素子で構成し、発光体４２および発光体４３を構成する２つの発光素子を法線ｈｘを中心に対称に配置することを特徴としている。
【０１１９】
なお、上述した第１乃至第６実施例に於ける発光体４０は図１２で示す様に導光体３０の両端に配置した実施例を示したものであるが、先に説明した様にどちらか一方の発光体４０に代え反射部材（鏡面部材）を配置し、この反射部材によって発光体４０と同等の仮想光源を構成しても良い。
【０１２０】
上述のように導光体３０に入射する光源を実質的に同一波長の複数の発光体で構成し、この発光体４１からの入射位置と、発光体４２からの入射位置とは導光体３０の出射光路方向（光散乱面の法線方向）ｈｘに距離を隔てた位置に設定されている。このように２つ以上の発光体を出射光路方向に距離を隔てて配置することにより導光体３０から読取面Ｒに向かう線状光を集光レンズの特性と合致（補完関係）させることが可能となる。
【０１２１】
［回路基板の取付構造］
そこで本発明は上述の光源９を次のようにキャリッジ６に取り付けたことを特徴としている。上述したように光源９を構成する導光体３０はキャリッジ６の光源収容部１３に装着され、キャリッジ６のユニットフレーム１１には放熱部材１４が一体形成されている。この放熱部材１４はアルミ合金などの熱伝導性に富んだ金属材料で構成され、その周囲には放熱フィン１４ｆが設けられている（図１１参照）。この放熱部材１４に回路基板１６が固定される。
【０１２２】
回路基板１６と基板取付部１４ａとの間には樹脂プレート１５が配置され、この樹脂プレート１５は弾性に富んだ絶縁性合成樹脂で構成されている。そこで回路基板１６は基板取付部１４ａに樹脂プレート１５を介在させた状態で固定プレート１７によって固定される。
【０１２３】
［光源の制御構成］
図２に従って前述した光源９の制御について説明すると、第１光源９ａ（第１発光体２０）と第２光源９ｂ（第２発光体２１）は図２に示すように第１プラテン２と第２プラテン３の読取面Ｒに光を照射する。この場合第１光源９ａは図示のように２つの光源で構成する必然性はなく、１本或いは３本以上の光源で構成しても良い。図示の第１光源９ａを２つの発光体で構成したのは後述する原稿給送装置Ｂで第２プラテン３を走行する原稿の速度を、第１プラテン２に沿ってキャリッジ６が移動する速度より高速にしている。つまり、第１プラテン２の読取り速度より第２プラテン３の読取り速度を高速にしている。このため原稿に照射する第１光源９ａの光量を第１プラテン２より第２プラテン３を高くすることが好ましい。
【０１２４】
このような光量調整は次のいずれかの方法を採用することによって可能である。（１）キャリッジ６に搭載された光源９に供給する電力を高低調節する。例えば第１光源９に電源を供給する電源供給回路に供給電圧又は供給電流の切り換え手段を設け、ランプに供給する電力を高低調整する光量調整手段を設ける。この光量調整手段はＰＷＭ制御として広く知られているのでその詳細説明を省く。
【０１２５】
次の方法は、（２）キャリッジ６に搭載された第１第２、少なくとも２つの発光体を選択的に点灯する光量調整手段を設ける。図２に示す装置はキャリッジ６に第１導光体３０ａと第２導光体３０ｂが搭載され、第１プラテン２上の原稿に光を照射する際には第１導光体３０ａに電源供給して第１プラテン３上の原稿に光を照射し、第２プラテン２上の原稿に光を照射する際には第１導光体３０ａと第２導光体３０ｂに電源供給して第２プラテン２上の原稿に光を照射するように構成されている。
【０１２６】
このような構成においてキャリッジ６が第１プラテン３に位置するときには第１導光体３０ａを、第２プラテン２に位置するときには第１導光体３０ａと第２導光体３０ｂを点灯する。これによって原稿に照射する光量を調整することが可能となり、供給電源を「オン」「オフ」するスイッチング回路が光量調整手段を構成することとなる。
【０１２７】
そこで、第１光源９ａと第２光源９ｂは、第１プラテン２上の原稿を読取る場合および第２プラテン３上を走行する原稿を読取る場合、第１光源９ａを点灯し第２光源９ｂを消灯した状態で読取面Ｒの画像を読取り、次に第２光源９ｂを点灯し第１光源９ａを消灯した状態で読取面Ｒの画像を読取る。そしてこの２つの読取りデータを合成することによって光沢原稿の画像を読取ることが出来る。
【０１２８】
［データ合成の実施例］
次に、上述のように構成された画像読取装置Ａにおける画像処理の構成について説明する。図１５はラインセンサ８から出力された画像データの処理回路を示す。ラインセンサ８から出力された信号（アナログ）は、増幅器５０、Ａ／Ｄ変換部５１を経てシェーディング補正部５２、色補正部５３から画像データ処理部５４に送られ、外部インターフェース５５から外部装置Ｃに転送される。これとは別にラインセンサ８からの出力信号は増幅器５０、Ａ／Ｄ変換部５１を経て補正データ生成部６６に送られ、その補正データは記憶手段（ＲＡＭ）６２に格納されるように構成されている。
【０１２９】
上記ラインセンサ８（図示のものはＣＣＤ）にはＣＣＤドライバ５６が設けられ、センサ出力を制御するタイミングを発生する。このラインセンサ８は後述するように画像dataの読取と、基準板（後述する高光沢度基準面６６と低光沢度基準面６４）を読取る。上記増幅器５０にはゲイン設定回路５７とオフセット設定回路５８が接続されている。またＡ／Ｄ変換部５１にはＡ／Ｄ変換する基準の閾値を設定するＡ／Ｄ閾値設定回路５９が接続されている。
【０１３０】
一方、上記ラインセンサ８による画像読取は制御ＣＰＵ６０で制御され、このＣＰＵはＲＯＭ６１に準備された制御プログラムとＲＡＭ６２に準備された制御データに従って、「基準データ読取」「画像読取」を実行するように構成されている。「基準データ読取」はフラットベッド式プラテン２に準備された高光沢度基準面６６と低光沢度基準面６４を読取り、「画像読取」はフラットベッド式プラテン２にセットされた原稿画像Ｇａを読取る。
【０１３１】
上記増幅器５０はラインセンサ８から出力された画像信号を増幅する。このためゲイン設定回路５７とオフセット設定回路５８が設けられている。このとき、ゲイン値とオフセット値は「拡散反射出力値」用と、「正反射出力値」用がそれぞれ後述する方法によって予め設定され、記憶手段（ＲＯＭ）６２に準備されている。
【０１３２】
上記Ａ／Ｄ変換部５１は、ラインセンサ８からの出力値（アナログ値）をデジタル値に変換する。このＡ／Ｄ変換部は、Ａ／Ｄコンバータでアナログ出力値をデジタル信号に変換する。このＡ／Ｄ変換で所定の濃度階調、例えば２５６階調、１２８階調、或いは２値化したデジタル信号に変換する。
【０１３３】
上記シェーディング補正部５２は、Ａ／Ｄコンバータでデジタル化された出力信号を補正する。前述した光源９ａ、９ｂのライン方向（主走査方向）の光量変動、ラインセンサ８の変動、或いは撮像光学系（反射ミラー１０、集光レンズ７など）の変動による出力値の輝度ムラを修正する。このシェーディング補正データは、後述する方法によって取得し、記憶手段（ＲＯＭ）６２に記憶されている。
【０１３４】
上記色補正部５３は、シェーディング補正と同様にＡ／Ｄコンバータでデジタル化された出力信号を補正する。出力値をガンマ補正、ノイズ除去などの処理を施す。
【０１３５】
上記画像データ処理部５４は、ラインセンサ８から出力されＡ／Ｄ変換、シェーディング補正、色補正、などの処理が施された画像データを外部に転送する前処理を施す。図示の装置では、前述した「拡散反射出力値」と「正反射出力値」を合成して画像データを取得する。その方法は後述する。
【０１３６】
このような構成において図示の装置は、上記「画像読取」を前述の第１光源（拡散反射光源）９ａから光を照射してその拡散反射光をラインセンサ８で光電変換する拡散反射読取りと、前述の第２光源（正反射光源）９ｂから光を照射してその正反射光をラインセンサ８で光電変換する正反射読取りを実行するように制御ＣＰＵ６０の実行プログラムが構成されている。
【０１３７】
そして光沢度の低い原稿画像（以下「非光沢画像」という）は拡散反射読取りで画像データを取得（非光沢画像読取モード）し、その他の原稿画像（以下「光沢画像」という）は正反射読取りと拡散反射読取りを行って画像データを取得（光沢画像読取モード）する。
【０１３８】
つまり、非光沢画像は第１光源９ａからプラテン上の原稿画像Ｇａに光を照射してその反射光をラインセンサ８で光電変換し、光沢画像は第２光源９ｂからプラテン上の原稿画像Ｇａに光を照射してその反射光を光電変換する。このとき原稿画像Ｇａの一部が光沢画像（光沢度が異なる原稿画像）である場合には、正反射読取りと拡散反射読取りのセンサ出力から光沢画素データと非光沢画素データを合成する。
【０１３９】
なお図示の装置は光沢画像読取モードが選択されたときには、同一画像について正反射読取りと拡散反射読取りを実行して、両センサ出力値から１つの画像データを取得するように構成されている。
【０１４０】
従って原稿画像Ｇａの全体が光沢画像のときには、結果として正反射読取りデータのみから画像データが取得されることとなる。
【０１４１】
そこで制御ＣＰＵ６０には画像読取モード（非光沢画像読取モード又は光沢画像読取モード）の入力手段（コントロールパネル）６７からモード設定がされる。これと共に制御ＣＰＵ６０は設定されたモードに従って光源切換手段３０ａを構成し、第１光源９ａと第２光源９ｂを切り換えるようになっている。
【０１４２】
具体的には、第１第２光源９ａ、９ｂの電源回路（不図示）に制御ＣＰＵ６０から「点灯」「消灯」コマンドと、光量調整コマンドが制御ＣＰＵ６０から発信制御される。
【０１４３】
［補正データ生成部］
図１５に示すようにラインセンサ８の出力値は増幅器５０とＡ／Ｄ変換部５１を介して補正データ生成部６６に送られる。この補正データ補正部３６では「シェーディング補正データ」と「判別閾値」を設定する。シェーディング補正データは前述したシェーディング補正部５２の補正データを生成し、判別閾値は光沢画素であるか、非光沢画素であるかを判別する基準値を生成する。そして生成した「値」は補正データ記憶手段（ＲＡＭ）６２に記憶する。
【０１４４】
このため、前述したフラットベッド式プラテン２には、図１４に示すように基準板６３、６４が設けられている。この基準板６３、６４はフラットベッド式プラテン２の画像読取領域外に配置されている。そして第１の基準板は高光沢度基準面６６を、第２の基準板は低光沢度基準面６４に形成されている。
【０１４５】
この高光沢度基準面６６と低光沢度基準面６４は前述した第２光源９ｂから光（図示のものはＬＥＤ光）を照射したときの光沢度が高光沢度基準面６６は［α％］に、低光沢基準面３４は［β％］に設定する。この［α％］は装置仕様から原稿画像Ｇａの最大光沢度に設定され、［β％］は最小光沢度に設定する。
【０１４６】
例えば画像読取する原稿画像Ｇａの最大光沢度が金・銀、金属色のメタリック印刷であるときには［α％］をその光沢度に設定し、画像読取する原稿画像Ｇａの最大光沢度が写真印刷であるときには［α％］をその光沢度に設定する。また画像読取する原稿画像Ｇａの最小光沢度が通常の普通紙モノクロ印刷であるときには［β％］をその光沢度に設定する。
【０１４７】
このように高光沢度基準面６６と低光沢度基準面６４は、使用する原稿画像Ｇａの質感・風合いと、取得した画像データの用途、例えばデザインユーズであるかドキュメントユーズであるか等の条件で最大光沢度画像と最小光沢画像に設定する。図示の基準板は白色基準面で高光沢度基準面６６と低光沢度基準面６４を設定している。このように白色基準面で低光沢度基準面（板）を構成することによって「拡散反射読取り」時の白色基準値を取得することが可能となる。
【０１４８】
そこで高光沢度基準面６６と低光沢度基準面６４を、光学キャリッジ６に搭載したラインセンサ８で画像読取する。本発明はこの第１第２の基準板６３、６４の画像読取を、（１）第２光源９ｂからの光（第１光源９ａ消灯、第２光源９ｂ点灯）で基準板６３、６４の正反射光を光電変換する。
【０１４９】
これによってラインセンサ８からは図１６（ａ）に示す高光沢度基準面６６から最大光沢出力値Ｓｏ１が、低光沢度基準面６４から最小光沢度出力値Ｓｏ２が出力される。同図Ｘ軸方向はラインセンサ８の主走査方向の画素Ｎを、Ｙ軸方向はセンサ出力値Ｚを示す。同図にセンサ出力値Ｚの一例を示すが、例えば主走査方向の画素Ｎの両端部は光源輝度ムラとして現れ、ラインセンサ８のビットの輝度ムラ（不図示）が各画素に現れる。
【０１５０】
次に（２）第１光源９ａからの光（第１光源９ａ点灯、第２光源９ｂ消灯）で低光沢度基準面６４の拡散反射光を光電変換する。これによってラインセンサ８からは図４（ｂ）に示す低光沢度基準面６４から白レベル出力値Ｓｏ３が出力される。そして（３）第１第２光源９ａ、９ｂを共に消灯した状態でラインセンサ８の暗出力値（ダーク出力値）Ｓｏ４を取得する。
【０１５１】
なお本発明にあって白レベル出力値Ｓｏ３は、上記したように第１光源９ａからの光で低光沢度基準面６４の拡散反射光を光電変換する場合のほか、この白レベル基準値を第２光源９ｂからの光で取得した最小光沢度出力値Ｓｏ２とすることも可能であり、後述する白レベル出力値Ｓｏ３は拡散反射読取りで取得しても正反射読取で取得しても光源の輝度ムラ、ラインセンサの輝度ムラの補正に大差は生じない。
【０１５２】
従って上記（１）（３）の基準面読取で基準出力値Ｓｏ１、Ｓｏ２、Ｓｏ３を取得するときには補正データの作成が短時間で処理工程が容易であり、上記（１）（２）（３）の基準面読取で基準出力値を取得するときにはより正確な補正データの作成が可能である。
【０１５３】
このように取得された基準出力値Ｓｏ１（最大光沢度出力値）、Ｓｏ２（最小光沢度出力値）、Ｓｏ３（白レベル出力値）、Ｓｏ４（ダーク出力値）に基づいて、「正反射読取用シェーディング補正値」と「拡散反射読取用シェーディング補正値」と「光沢画素判別閾値」を設定する。
【０１５４】
まず正反射読取用シェーディング補正値は、図示の装置は「正反射出力値をシェーディング補正」するために、第１の補正データと、第２の補正データを生成するように構成されている。これは光沢原稿を光沢度の再現性を必要とする場合には次の第１の補正データを、画像の濃度階調の再現性を必要とする場合には次の第２の補正データを使用者のモード選択に応じて設定するためである。
【０１５５】
上記第１の補正データは、最大光沢度出力値Ｓｏ１と最小光沢度出力値Ｓｏ２の図１６（ａ）に示すレンジＲ１で所定の濃度階調に正規化する。つまり図１６（ａ）に示す最大出力値Ｓｏ１を所定の濃度階調、例えば２５６階調に正規化する。この正規化したデータはラインセンサ８のビット毎にＲＧＢのデータとして記憶手段（ＲＡＭ）６２のメモリテーブルに記憶する。また、第２の補正データは、最大光沢度出力値Ｓｏ１とダーク出力値Ｓｏ４との図１６（ａ）に示すレンジＲ２で所定の濃度階調に正規化し、メモリテーブルに記憶する。
【０１５６】
このように図１６（ａ）に示すようにレンジＲ１とレンジＲ２はデータ幅が［レンジＲ１＜レンジＲ２］であり、第１の補正データは、データ幅が光沢画像領域のみが正規化されることとなり、より光沢画質の再現性に富んだ出力補正となる。また、第２の補正データは普通画像（非光沢画像領域）と光沢画像領域で正規化されることとなり、濃度階調の再現性に富んだ出力補正となる。
【０１５７】
具体的には第１の補正データで補正すると光沢画質は高精度に得られるが、例えば黒文字が灰色っぽい画質となり、第２の補正データで補正すると濃度階調は高精度に得られるが、例えば金銀メタリック印刷領域が黒抜けする場合がある。
【０１５８】
次に拡散反射読取用シェーディング補正値は、白レベル出力値Ｓｏ３とダーク出力値Ｓｏ４との図１６（ｂ）に示すレンジＲ３で所定の濃度階調に正規化し、メモリテーブルに記憶する。
【０１５９】
このようなシェーディング補正データに基づいて画像読取実行時のラインセンサ８の出力値をシェーディング補正データでフラット補正する。つまり取得したセンサの出力値の読取誤差（輝度のバラツキ）を補正データで補正する。このシェーディング補正は、画像読取したラインセンサ８の出力値を増幅器５０で増幅し、Ａ／Ｄ変換部５１でデジタル値に変換した後に実行するようにしている。
【０１６０】
また上述のように取得した最大光沢出力値Ｓｏ１と最小光沢出力値Ｓｏ２とは、正反射読取実行時のラインセンサからの出力値を増幅器５０で増幅する際に、ゲイン設定回路５７でゲイン値を最大光沢出力値Ｓｏ１に、オフセット設定回路５８のオフセット値を最小光沢出力値Ｓｏ２に設定する。これによって光沢度領域をより高階調に再現することが可能である。
【０１６１】
［画像合成］
本発明は上述の方法によって取得した最小光沢度出力値Ｓｏ２を基準に「光沢度画素であるか否かを」判別することを特徴としている。このため前述したようにフラットベッド式プラテン２に低光沢度基準面６４を設け、第２光源９ｂからの反射光をラインセンサ８で光電変換し、判別閾値として記憶手段（ＲＡＭ）６２に記憶されている。
【０１６２】
そこで画像データ処理部５４は、原稿画像Ｇａに第２光源（正反射光源）９ｂから光を照射したときのラインセンサ８の出力値を、画像データ補正部６８で補正した後、この補正出力値Ｓｙを判別閾値と比較する。そしてこの比較で補正出力値Ｓｙが判別閾値より大きいとき、光沢画素データＳｄ１とする。
【０１６３】
この場合の比較回路は図１６（ｃ）に示すようにコンパレータで補正出力値Ｓｙと判別閾値を比較し、その比較結果で光沢画素であるか否かを判別する。そして光沢画素データＳｄ１は例えばバッファメモリ６５の第１メモリ６５ａの該当アドレスに記憶する。
【０１６４】
これと共に、画像データ処理部５４は、原稿画像Ｇａに第１光源（拡散反射光源）９ａから光を照射したときのラインセンサ８の出力値を、データ補正した後、この補正出力値Ｓｙを非光沢画素データＳｄ２として例えばバッファメモリ６５の第２メモリ２５ｂの該当アドレスに記憶する。
【０１６５】
そして画像データ処理部５４は第２メモリ２５ｂから拡散反射読取で取得した非光沢画素データＳｄ２の読出しと、第１メモリ２５ａから正反射読取で取得した光沢画素データＳｄ１を読出して両データを合成する。この画像合成は、例えば非光沢画素データＳｄ２と同一アドレスに光沢画素データＳｄ１が存在すればその画素を光沢画素データＳｄ１と置換する。
【０１６６】
これによって全アドレスの画像データが非光沢画素データＳｄ２と光沢画素データＳｄ１で合成され、光沢画素であるか否かは正反射読取で取得された補正出力値Ｓｙを判別閾値と比較して決定される。
【０１６７】
このように本発明は、低光沢度基準面６４を画像データの用途に応じた光沢度に設定し、この基準面を正反射読取で読取ったラインセンサ８の出力値（最小光沢度出力値）Ｓｏ２を判別閾値とすることを特徴としている。これによって画像データを使用目的に適合する光沢再現性で出力することが可能となる。
【０１６８】
［画像読取動作］
次に図１７に基づいて上述した装置における画像読取動作を説明する。図１７は装置のイニシャライズ動作を示す。装置電源が投入（Ｓｔ０１）されるとイニシャライズ動作を開始する（Ｓｔ０２）。このイニシャライズ開始で光学キャリッジ６は所定のホームポジションに移動し、各回路の設定値（ゲイン値、オフセット値、各種補正値）は初期値にリセットされる（Ｓｔ０３）。
【０１６９】
そこで制御ＣＰＵ６０は、第２光源９ｂを点灯（Ｓｔ０４）し、光学キャリッジ６を高光沢度基準面６６の読取位置に移動する（Ｓｔ０５）。そしてこの高光沢度基準面６６のラインセンサ８の出力値を基準に高光沢側ゲイン調整を実行する（Ｓｔ０６）。次に光学キャリッジ６を低光沢度基準面６４の読取位置に移動（Ｓｔ０７）又は、そのままの位置でランプを消灯し、低光沢側オフセット調整を実行する（Ｓｔ０８）。
【０１７０】
次に制御ＣＰＵ６０はゲイン値とオフセット値が予め設定されたデフォルト値以内であるか否か判断する（Ｓｔ０９）。この判断で「ＮＯ」のときにはゲイン・オフセット調整（Ｓｔ０５〜Ｓｔ０８）を繰り返す。
【０１７１】
次に制御ＣＰＵ６０は第２光源９ｂを消灯（Ｓｔ１０）し、第１光源９ａを点灯する（Ｓｔ１１）。そして光学キャリッジ６を低光沢度基準面（白基準面）３４の読取位置に移動し、ゲイン調整する（Ｓｔ１２）。そこで第１光源９ａを消灯した状態（Ｓｔ１３）でラインセンサ８のダーク出力値Ｓｏ４からオフセット調整し（Ｓｔ１４）、このゲイン・オフセット調整が予め設定されたデフォルト値以内であるか否か判断する（Ｓｔ１５）。この判断で「ＮＯ」のときにはゲイン・オフセット調整（Ｓｔ１２〜Ｓｔ１４）を繰り返し、「ＹＥＳ」のときには制御ＣＰＵ６０はイニシャライズ動作を終了する（Ｓｔ１６）。
【０１７２】
次に図１８に従って画像読取動作の実行手順を説明する。このため制御ＣＰＵ６０は、図示しないコントロールパネル６７からの入力信号、或いはコンピュータなどの画像ハンドリング装置からコマンド信号を受信する。この入力信号、コマンド信号は画像読取条件（カラー・モノクロ、解像度、縮倍率など）と「光沢画像読取」か「非光沢画像読取」か読取モードの設定信号を受信する（Ｓｔ１００）。この場合「光沢画像読取」モードが選択されたときには「濃度優先仕上げ」か「光沢優先仕上げか」の仕上げ条件も同時に受信する。
【０１７３】
上記読取条件で「光沢画像読取」がモード選択されたときには（Ｓｔ１０１で「ＹＥＳ」）には次の動作に移行し、「非光沢画像読取」がモード選択されたときには（Ｓｔ１０１で「ＮＯ」）には後述するステップＳｔ１１２〜Ｓｔ１１９を実行する。
【０１７４】
「光沢画像読取」モードのときには、第２光源（正反射光源）９ｂを点灯（Ｓｔ１０２）し、光学キャリッジ６を低光沢度基準面６４位置に移動する（Ｓｔ１０３）。そしてこの位置で低光沢度基準面６４の出力値Ｓｏ２をラインセンサ８から取得する（Ｓｔ１０４）。次に光学キャリッジ６を高光沢度基準面６６に移動し、高光沢度基準面６６の出力値Ｓｏ１を取得（Ｓｔ１０５）する。
【０１７５】
このように取得された最大光沢出力値Ｓｏ１と最小光沢出力値Ｓｏ２は、既に取得されＲＡＭ６２に記憶されているラインセンサ８のダーク出力値Ｓｏ４（後述するステップＳｔ１１１で取得され記憶されている）から前述した第１の補正データと第２の補正データを作成し、記憶手段（ＲＡＭ）６２に記憶する。これと共に最小光沢出力値Ｓｏ２を基準に設定した判別閾値をＲＡＭ６２に記憶する（Ｓｔ１０６）。
【０１７６】
次に制御ＣＰＵ６０は、第２光源（正反射光源）９ｂを点灯した状態でフラットベッド式プラテン２上の原稿画像Ｇａを読取る（Ｓｔ１０７）。この正反射読取の取得データはバッファメモリ６５に格納し、前述した増幅器５０とＡ／Ｄ変換部５１でデジタル化し、画像データ補正部６８でシェーディング補正と色補正を画像読取と並行処理する。そしてその補正出力値Ｓｙを判別閾値と比較して第１メモリ６５ａに記憶する。
【０１７７】
この正反射読取（Ｓｔ１０７）で原稿画像全体の読取が終了すると、制御ＣＰＵ６０は光学キャリッジ６を停止し（Ｓｔ１０８）、第２光源（正反射光源）９ｂを消灯する（Ｓｔ１０９）。これと共に光学キャリッジ６を読取開始位置に復帰させる（Ｓｔ１１０）。この復帰の過程でラインセンサ８の出力値を取得し、ダーク出力値Ｓｏ４としてＲＡＭ６２に記憶する（Ｓｔ１１１）。
【０１７８】
次に制御ＣＰＵ６０は第１光源（拡散反射光源）９ａを点灯し（Ｓｔ１１２）、キャリッジ６を低光沢度基準面６４の読取位置に移動する（Ｓｔ１１３）。そしてこの低光沢度基準面６４の出力値から白レベル出力値Ｓｏ３を取得する（Ｓｔ１１４）。このデータは前述と同様にシェーディング補正データを生成して、記憶手段（ＲＡＭ）６２のメモリテーブルに記憶する（Ｓｔ１１５）。
【０１７９】
次に制御ＣＰＵ６０は光学キャリッジ６を読取開始位置に移動し、拡散反射読取を実行する（Ｓｔ１１６）。この取得データは前述と同様に増幅器５０とＡ／Ｄ変換部５１でデジタル化し、画像データ補正部６８でシェーディング補正と色補正をした後、第２メモリ６５ｂに記憶する。
【０１８０】
その後、制御ＣＰＵ６０は光学キャリッジ６を停止（Ｓｔ１１７）し、第１光源（拡散反射光源）９ａを消灯（Ｓｔ１１８）する。そして光学キャリッジ６を初期位置（ホームポジション）に復帰させる（Ｓｔ１１９）。
【０１８１】
次に図１９に従って画像データの取得を説明する。上述の正反射読取りでバッファメモリ６５の第１メモリ６５ａに格納されている画素データは判別閾値と比較して光沢度の高い画素に光沢画素データＳｄ１として記憶されている。また上述の拡散反射読取りでバッファメモリ６５の第２メモリ６５ｂに格納されている画素データは非光沢データとしてデータ補正され、非光沢画素データＳｄ２として判別されている。
【０１８２】
そこで制御ＣＰＵ６０はラインセンサ８の画素を指定する（Ｓｔ１５０）。この画素指定は例えばシーケンシャルに指定する。そして光沢画素データＳｄ１を第１メモリ６５ａから読み出し（Ｓｔ１５１）、同時に非光沢画素データＳｄ２を第２メモリ６５ｂから読み出す（Ｓｔ１５２）。このとき指定された画素に光沢画素データＳｄ１があるとき（Ｓｔ１５３で「ＹＥＳ」のとき）には非光沢画素データＳｄ２を光沢画素データＳｄ１で置き換える（Ｓｔ１５４）。そして指定された画素に光沢画素データＳｄ１がないとき（Ｓｔ１５３で「ＮＯ」のとき）には非光沢画素データＳｄ２を画素データとしてそれぞれ転送バッファに格納する（Ｓｔ１５５）。
【０１８３】
なお、上述の実施例にあって第１光源（第１光源）９ａと第２光源（第２光源）９ｂはそれぞれ異なる２つの発光体（図示のものはＬＥＤ発光体）で構成する場合を示したが、図２０に示すように１つの発光体７１で構成し、この発光体からの光をプラテン７２に角度θ１で照射する第１光源７１ａと、角度θ２で照射する第２光源７１ｂで構成することも可能である。
【０１８４】
この場合には、例えば第１反射ミラー７３ａを第１光源７１ａからの拡散反射光を光電センサに案内する角度位置（図示実線）と、第２光源７１ｂからの正反射光を光電センサに案内する角度位置（図示破線）にシフトするシフト手段（例えば電磁ソレノイドなど）を設ける。
【０１８５】
更に、上述の実施例にあって高光沢度基準面６３と低光沢度基準面６４とはフラットベッド式プラテン２にそれぞれ基準板を設け、画像読取の開始時、或いはキャリブレーション時に画像読取する実施例を示したが、これは光源ランプ、光電センサなどが経時的に変化する場合の実施例である。光源ランプ、光電センサなどの経時的変化が主・副走査ともに相似であれば、プラテンに高光沢度基準面と低光沢度基準面を配置するとこなく、例えば実験値で予め最大光沢出力値と最小光沢度出力値を設定し、その設定値をＲＡＭに記憶しても良いことは勿論である。
【０１８６】
［原稿給送装置の構成］
原稿給送装置Ｂは図１に示すように上述の第１、第２プラテン２、３を覆うようにその上方に配置され、上記第２プラテン３に原稿シートを給送するリードローラ（原稿給送手段）３４と搬出ローラ２２とを備えている。更に上記リードローラ３４の上流側には原稿シートを積載収納する給紙スタッカ２３と、この給紙スタッカに積載されてシートを１枚ずつ分離給送する給紙ローラ２４と、分離給送されたシートの先端をスキュ修正するレジストローラ対２５が配置されている。図示２６は給紙スタッカ２３から第２プラテン２に原稿シートを案内する給紙経路であり、図示Ｓ１はプラテンに至る原稿の先端を検知するリードセンサである。
【０１８７】
図示の装置は第２プラテン３の上方に原稿シートを案内するバックアップローラ２７が配置されている。このバックアップローラ２７はリードローラ３４と同一周速度で回転し第２プラテン３上に原稿シートをフィットさせる為であり、このバックアップローラ２７を設けることなくプラテン上方にバックアップカイドを配置しても良い。
【０１８８】
上記搬出ローラ２２の下流側には排紙ローラ２８と排紙スタッカ２９が配置されている。この排紙スタッカ２９は図１に示すように給紙スタッカ２３の下方に上下並列に配置され、その底部には前述の第１プラテン３上の原稿シートを押圧支持するプラテンカバー５が設けられている。
【０１８９】
なお、本出願は、参照によりここに援用される日本特許出願番号２０１０年０４９９１６号および日本特許出願番号２０１０年１０８６２３号からの優先権を請求する。
【符号の説明】
【０１９０】
Ａ        画像読取装置
Ｂ        原稿給送装置
１        装置ハウジング
２        第１プラテン
３        第２プラテン
６        光学キャリッジ
７        集光レンズ
８        ラインセンサ
９        光源
９ａ      第１光源（拡散反射光源）
９ｂ      第２光源（正反射光源）
１０      反射ミラー（１０ａ〜１０ｅ）
１０ａ    第１ミラー（第１反射部材）
１０ｂ    第２反射部材
１０ｘ    ミラー反射面
１０ｙ    透光面
１０ｚ    端面
１０ｗ    反射シート
１１      ユニットフレーム
１３      光源収容部（導光体支持枠）
１８      リフレクター
２０      第１発光体
２１      第２発光体
３０      導光体
３１Ｌ    左端面
３１Ｒ    右端面
３２      光散乱面
３３      光出射面
３６      拡散板
４１      発光体（４１ａ、４１ｂ）
４２      発光体（４２ａ、４２ｂ）
４３      発光体（４３ａ、４３ｂ）
５０      増幅器
５１      Ａ／Ｄ変換部
５２      シェーディング補正部
５３      色補正部
５４      画像データ処理部
５５      外部インターフェース
５６      ＣＣＤドライバ
５７      ゲイン設定回路
５８      オフセット設定回路
５９      Ａ／Ｄ閾値設定回路
６０      制御ＣＰＵ
６０ａ    光源切換手段
６１      ＲＯＭ
６２      記憶手段（ＲＡＭ）
６３      高光沢度基準面（第１の基準板）
６４      低光沢度基準面（第２の基準板）
６５ａ    第１メモリ
６５ｂ    第２メモリ
６６      補正データ生成部
６８      画像データ補正部
Ｇａ      原稿画像
Ｒ        読取面
Ｓｏ１    最大光沢出力値
Ｓｏ２    最小光沢出力値
Ｓｏ３    白レベル出力値
Ｓｏ４    ダーク出力値
Ｓｄ１    光沢画素データ
Ｓｄ２    非光沢画素データ
Ｓｙ      補正出力値
【図１】
2011108645.tif 000003
【図２】
2011108645.tif 000004
【図３】
2011108645.tif 000005
【図４】
2011108645.tif 000006
【図５】
2011108645.tif 000007
【図６】
2011108645.tif 000008
【図７】
2011108645.tif 000009
【図８】
2011108645.tif 000010
【図９】
2011108645.tif 000011
【図１０】
2011108645.tif 000012
【図１１】
2011108645.tif 000013
【図１２】
2011108645.tif 000014
【図１３】
2011108645.tif 000015
【図１４】
2011108645.tif 000016
【図１５】
2011108645.tif 000017
【図１６】
2011108645.tif 000018
【図１７】
2011108645.tif 000019
【図１８】
2011108645.tif 000020
【図１９】
2011108645.tif 000021
【図２０】
2011108645.tif 000022
【図２１】
2011108645.tif 000023
【国際調査報告】
2011108645.tif 000024
2011108645.tif 000025
2011108645.tif 000026
2011108645.tif 000027